(57)【要約】【課題】回転軸２に取り付けられる中空軸形状のボス部１１の外径側に同心状に、連結壁部１３を介してベルト巻き掛け用のリム部１２を一体に設けたプーリ３において、騒音低減効果を高める。【解決手段】連結壁部１３の軸方向厚みが、リム部１２の軸方向幅Ｗより小さくされることで、この連結壁部１３の軸方向両側に軸方向内方へ凹む凹状空間２１，２２が確保されている。両凹状空間２１，２２には、遮音用の発砲材３０，３１がそれぞれ収納されている。発砲材３０，３１は、連結壁部１３の前側面および後側面とボス部１１の外周面とリム部１２の内周面とにそれぞれ接着されている。【選択図】図３
2008075676.tif 000002
【特許請求の範囲】
【請求項１】
回転軸に取り付けられる中空軸形状のボス部の外径側に同心状に、連結壁部を介してベルト巻き掛け用のリム部を一体に設けたプーリであって、
前記連結壁部の軸方向厚みが、前記リム部の軸方向幅より小さくされることで、この連結壁部の軸方向両側に軸方向内方へ凹む凹状空間が確保されており、
前記両凹状空間に遮音用の発砲材がそれぞれ収納されているとともに、この発砲材が、前記連結壁部の前側面および後側面とボス部の外周面とリム部の内周面とにそれぞれ接着されていることを特徴とするプーリ。
【請求項２】
請求項１に記載のプーリにおいて、前記ボス部は、その前端縁が前記リム部の前端縁よりも軸方向内方へ後退した位置に配置され、このボス部の後退に応じて前記発砲材の軸方向幅がリム部側からボス部側へ向けて漸次幅狭とされることを特徴とするプーリ。
【請求項３】
請求項１または２に記載のプーリにおいて、前記リム部は、内筒部と外筒部とそれらの間に介装される弾性体とを含む三重構造のダイナミックダンパとされることを特徴とするプーリ。
【請求項４】
請求項１から３のいずれかに記載のプーリは、エンジンのクランクシャフトの前端部に取り付けられるものであることを特徴とするプーリ。
【発明の詳細な説明】
【技術分野】
【０００１】
本発明は、回転軸に取り付けられる中空のボス部の外径側に同心状に、連結壁部を介してベルト巻き掛け用のリム部を一体に設けたプーリに係り、特に騒音低減対策に改良を施したものに関する。なお、本発明に係るプーリは、例えば車両に搭載されるエンジンのクランクシャフトや、クランクシャフトによりベルトを介して駆動される補機（オルタネータ、ウォーターポンプ、エアコンコンプレッサ、パワーステアリング等）の入力軸に取り付けられて使用される他、各種機器に備える回転軸等に取り付けられて使用される。
【背景技術】
【０００２】
例えばエンジンでは、その燃焼室内の爆発力が加振源となり、ピストン、ピストンピン、コネクティングロッド、クランクシャフトを通じて、クランクシャフトの前端に取り付けられるプーリに振動が伝達されるので、プーリがあたかもスピーカのような役割を果たし、プーリの前後に騒音を放射することがある。特に、プーリの後方へ放射される騒音は、プーリとエンジン本体（例えばタイミングケース）との対向空間で空間共鳴を引き起こすことがある。
【０００３】
このようなエンジンの騒音を低減するために、従来から、エンジンのクランクシャフトの前端に取り付けられるプーリに、いろいろな対策を施すことが考えられている（例えば特許文献１〜４参照。）。
【０００４】
まず、特許文献１では、プーリにおけるボス部とリム部とを連結するための連結壁部に、軸方向に貫通する孔を設けることにより、騒音放射面積を減らすようにしている。
【０００５】
また、特許文献２，３では、プーリにおけるボス部とリム部との間の連結壁部の前方に凹状空間が設けられており、この前方凹状空間の開口に遮音カバーを取り付けて、前記開口を塞ぐようにしている。
【０００６】
前記遮音カバーは、ゴムや軟質樹脂で形成されており、遮音カバーの内面は、連結壁部の前側面との間に空間を確保するように非接触とされている。
【０００７】
さらに、特許文献４では、プーリにおけるボス部とリム部とを連結する連結壁部の前方に、ボス部とリム部と連結壁部に非接触とするダイナミックダンパを取り付けるようにして、プーリの回転に伴う振動の抑制と、騒音の吸収とを図るようにしている。
【特許文献１】実開平５−７１５２０号公報
【特許文献２】特開２００３−２１６１６０号公報
【特許文献３】実開昭６３−３２３４７号公報
【特許文献４】実開平４−４４９１５号公報
【発明の開示】
【発明が解決しようとする課題】
【０００８】
上記いずれの従来例においても、騒音を低減する効果が薄いと言え、騒音低減効果を高めるようにすることが望まれている。特に、特許文献２，３については、遮音カバーをプーリと別部材としているために、取り付け作業が必要となる等、手間がかかるうえに、脱落するおそれがある。
【０００９】
本発明は、回転軸に取り付けられる中空のボス部の外径側に同心状に、連結壁部を介してベルト巻き掛け用のリム部を一体に設けたプーリにおいて、主として、騒音低減効果を高めることを目的としている。
【００１０】
本発明は、回転軸に取り付けられる中空のボス部の外径側に同心状に、連結壁部を介してベルト巻き掛け用のリム部を一体に設けたプーリにおいて、騒音低減効果を高めることに加えて、取り付けの手間を不要とするとともに万一の脱落を回避できるようにして信頼性を高めることを目的としている。
【課題を解決するための手段】
【００１１】
本発明は、回転軸に取り付けられる中空軸形状のボス部の外径側に同心状に、連結壁部を介してベルト巻き掛け用のリム部を一体に設けたプーリであって、前記連結壁部の軸方向厚みが、前記リム部の軸方向幅より小さくされることで、この連結壁部の軸方向両側に軸方向内方へ凹む凹状空間が確保されており、前記両凹状空間に遮音用の発砲材がそれぞれ収納されているとともに、この発砲材が、前記連結壁部の前側面および後側面とボス部の外周面とリム部の内周面とにそれぞれ接着されていることを特徴としている。
【００１２】
なお、本発明に係るプーリは、例えば車両に搭載されるエンジンのクランクシャフトや、クランクシャフトによりベルトを介して駆動される補機（オルタネータ、ウォーターポンプ、エアコンコンプレッサ等）の入力軸に取り付けられて使用される他、各種機器に備える回転軸等に取り付けられて使用される。
【００１３】
この構成によれば、回転軸側からプーリのボス部に振動が伝達されても、前記振動が発砲材でもって吸収、減衰されることになる。特に、遮音部材として発砲材を用いているから、振動の吸収、減衰作用が高い。しかも、発砲材がプーリの連結壁部の前後両側面とボス部の外周面とリム部の内周面とに接着されているから、ボス部、リム部、連結壁部の表面からの直接的な騒音放射を効果的に低減または防止できる。
【００１４】
要するに、上述したように振動の吸収、減衰性に優れた発砲材を効果的に設置しているから、プーリから前後両方への騒音の放射が低減または防止されることになる。これに伴い、プーリの後方に壁面が配置される場合、この壁面との対向空間で騒音が共鳴することを抑制または防止することが可能になる。このように、プーリによる遮音性、つまり騒音低減効果が、従来例のように遮音カバーで覆うようなものに比べて向上する。
【００１５】
好ましくは、前記ボス部は、その前端縁が前記リム部の前端縁よりも軸方向内方へ後退した位置に配置され、このボス部の後退に応じて前記発砲材の軸方向幅がリム部側からボス部側へ向けて漸次幅狭とされる。
【００１６】
このようにボス部の前端縁をリム部の前端縁より後退させている理由について説明する。例えばプーリを回転軸に取り付ける形態として、ボス部の内孔に回転軸を挿入して、それらの軸端にボルトを螺着することにより固定する。この形態では、ボス部の前端面をボルトの頭部あるいはワッシャ等で押さえながら回転軸の前端部にボルトのねじ軸部を螺着するのであるが、このボルトの頭部を、プーリのリム部の前端縁より外側へ突出させないようにするために、前記のように後退させているのである。
【００１７】
このような形態を考慮して本発明では、上述したように発砲材の形状を特定した場合、発砲材の内径側の質量が外径側に比べて小さくなる。しかも、この発砲材の内周面全体をボス部外周面に接着させることができる。これらのことによって、プーリの回転遠心力の影響を受けて発砲材が径方向外向きへ片寄るように変形せずに済むようになる。
【００１８】
好ましくは、前記リム部は、内筒部と外筒部とそれらの間に介装される弾性体とを含む三重構造のダイナミックダンパとされる。
【００１９】
このような三重構造では、弾性体がダンパとなり、外筒部がダンパマスとなるダイナミックダンパを構成するので、プーリの取り付け対象となる回転軸でねじり共振が発生する場合、そのねじり共振を打ち消して回転軸の振動を減衰するという作用を発揮するものである。
【００２０】
つまり、このような構成では、リム部の内筒部と外筒部とを弾性体によって縁切りしているので、ボス部から連結壁部を経てリム部の内筒部に振動が伝達したとしても、リム部の内筒部から外筒部への振動伝達を弾性体が遮断するようになり、径方向外向きへの騒音発生を防止するうえでも有利となる。
【００２１】
好ましくは、前記プーリは、エンジンのクランクシャフトの前端部に取り付けられるものとすることができる。
【００２２】
このように、プーリの取り付け対象をエンジンのクランクシャフトとした場合、そもそも、エンジンの燃焼室内の爆発力が加振源となり、ピストン、ピストンピン、コネクティングロッド、クランクシャフトを通じてプーリに振動が伝達されるので、このプーリがあたかもスピーカのような役割を果たし、プーリの前後に騒音を放射することがある。特に、プーリの後方へ放射される騒音は、プーリとエンジン本体（例えばタイミングケース）との対向空間で共鳴を引き起こすことがある。
【００２３】
このようなプーリの前後空間への騒音放射に対し、本発明の構成による優れた遮音効果が有効になるので、エンジンの振動、騒音対策に有効となる。
【発明の効果】
【００２４】
本発明によれば、騒音低減効果を高めることができる。また、本発明に係るプーリにおける発砲材を加硫成形接着によって一体的に形成すれば、騒音低減効果を高める効果に加えて、従来例の遮音カバーのような取り付けの手間が不要で万一の脱落を回避できる等、信頼性の向上に貢献できる。
【発明を実施するための最良の形態】
【００２５】
以下、本発明の実施形態について図１から図９を参照して説明する。なお、図１から図６に本発明の一実施形態を示している。
【００２６】
図１には、本発明に係るプーリの一実施形態を、その取り付け対象の一例であるエンジンに取り付けた状態を示している。
【００２７】
図中、１はエンジン、２はクランクシャフト、３はプーリである。この実施形態でのプーリ３は、クランクシャフト２の前端に取り付けられる駆動プーリとされている。
【００２８】
このプーリ３には、図２に示すように、輪状つまり無端状のベルト４が巻き掛けられていて、このベルト４は、さらに、エンジン１に取り付けられる補機（例えばオルタネータ、ウォーターポンプ、エアコンコンプレッサ等）５Ａ〜５Ｃの入力軸に取り付けられる従動プーリ６Ａ〜６Ｃにも巻き掛けられている。
【００２９】
つまり、プーリ３の回転動力をベルト４を介して従動プーリ６Ａ〜６Ｃを伝達することによって、補機５Ａ〜５Ｃを駆動するようになっている。なお、ベルト４の巻き掛け形態は、補機５Ａ〜５Ｃの設置数や配置関係によって適宜変更されるので、図示する形態のみに限定されるものではない。
【００３０】
図３には、図１および図２のプーリ３単体を拡大して示している。また、図４には、プーリ３単体の斜視図を示している。
【００３１】
図例のプーリ３は、中空軸形状のボス部１１の外径側に同心状に、連結壁部１３を介してベルト巻き掛け用のリム部１２を一体に設けた構造になっている。
【００３２】
このプーリ３は、クランクシャフト２にボルト７を用いて取り付けられるので、以下で具体的に説明する。
【００３３】
まず、クランクシャフト２の前端領域に、プーリ３のボス部１１を外嵌するが、このとき、プーリ３の軸方向位置を調整するためにプーリ３の装着前にクランクシャフト２の前端側に円筒形のスペーサ９を外嵌装着する（図１参照）。このスペーサ９は、なくてもよく、その場合、クランクシャフト２の外径形状について、スペーサ９をクランクシャフト２に取り付けた図１の状態の異径形状に形成することが可能である。
【００３４】
この後、ボルト７のねじ軸部にワッシャ８を装着しておいて、このボルト７をボス部１１の前端側からクランクシャフト２の前端面中心の雌ねじ孔２ａに螺着する（図１および図３参照）。このとき、ボルト７を締めこむと、ワッシャ８がボス部１１の前端面に押圧されてクランクシャフト２に適宜の軸力を付与することになり、クランクシャフト２にプーリ３が軸方向不動ならびに相対回転不可能に固定される。
【００３５】
ところで、ボス部１１は、その前端縁がリム部１２の前端縁よりも軸方向内方へ所定量Ｌ後退した位置に配置されている。このようにボス部１１を後端させている理由は、図１に示すように、プーリ３をクランクシャフト２の前端に取り付ける際に用いるボルト７の頭部を、プーリ３のリム部１２の軸方向幅Ｗ内に引っ込めた状態つまりリム部１２の前端縁から外側へ突出させないようにするためである。
【００３６】
また、図示例のボス部１１では、その外周面の後端寄り約半分領域が小径に形成されている。この小径部分を設けている理由は、この小径部分外周面を、図示していないタイミングカバーに取り付けられるシールリングの内径側リップが摺接されるシール面として利用するためである。但し、このような小径部分をボス部１１に設けずに、外周面を面一としたボス部１１であってもよい。
【００３７】
リム部１２は、内筒部１５と外筒部１６とそれらの間に介装される弾性体１７とを含む三重構造のダイナミックダンパとされている。
【００３８】
なお、外筒部１６の外周面には、ベルト４を巻き掛けたときに軸方向にずれにくくするために周方向に連続する凹みが設けられているとともに、この凹みの底面に軸方向に隣り合う複数本の周溝が刻設されている。
【００３９】
連結壁部１３は、その軸方向厚み寸法がリム部１２の軸方向幅Ｗ寸法よりも大幅に小さく設定されていて、リム部１２の軸方向中央Ｐに配置されることによって、リム部１２の軸方向幅Ｗ内において連結壁部１３の軸方向両側に、軸方向内方へ凹む凹状空間２１，２２が確保されている。この両凹状空間２１，２２には、遮音用の発砲材３０，３１がそれぞれ収納されている。
【００４０】
この発砲材３０，３１は、比較的柔軟性を有するスポンジ状に形成されており、例えば発砲ウレタン等のような発砲性を有する材料とすることができる。
【００４１】
このような発砲材３０，３１の場合、その密度を、プーリ取り付け対象となるエンジン１個々から発生する振動を考慮し、必要となる遮音性を確保するように適宜に設定することができる。
【００４２】
そして、前端側の発砲材３０は、連結壁部１３の前側面とボス部１１の外周面における前端側領域１１ａとリム部１２の内筒部１５の内周面における前端側領域１５ａとに、それぞれ接着されている。
【００４３】
また、後端側の発砲材３１は、連結壁部１３の後側面とボス部１１の外周面における後端側領域１１ｂとリム部１２の内筒部１５の内周面における後端側領域１５ｂとに、それぞれ接着されている。
【００４４】
詳しくは、前端側の発砲材３０は、その外径側の軸方向幅寸法がリム部１２の内筒部１５の内周面における前端側領域（前端側の凹状空間２１を確保するための面）１５ａの軸方向幅寸法と同一寸法とされていて、また、内径側の軸方向幅寸法がボス部１１の外周面における前端側領域（前端側の凹状空間２１を確保するための面）１１ａの軸方向幅寸法と同一寸法とされている。これにより、前端側の発砲材３０が外径側つまりリム部１２側から内径側つまりボス部１１側へ向けて漸次幅狭形状になっている。
【００４５】
一方、後端側の発砲材３１は、その外径側の軸方向幅寸法がリム部１２の内筒部１５の内周面における後端側領域（後端側の凹状空間２２を確保するための面）１５ｂの軸方向幅寸法と同一寸法とされていて、また、内径側の軸方向幅寸法がボス部１１の大径外周面における後端側領域（後端側の凹状空間２１を確保するための面）１１ｂの軸方向幅寸法より若干短い寸法とされている。これにより、後端側の発砲材３１が外径側つまりリム部１２側から内径側つまりボス部１１側へ向けて漸次幅狭形状になっている。
【００４６】
なお、発砲材３０，３１は、プーリ３の前後の凹状空間２１，２２内に加硫成形接着によって形成することができる。この他、発砲材３０，３１は、プーリ３と別体に、予め必要な形状に形成しておいて、この発砲材３０，３１をプーリ３の前後の凹状空間２１，２２内に嵌めこんで、接着剤等で接着させるようにしてもよい。なお、前者の加硫成形接着方法であれば、取り付けの手間を省略することができるとともに、万一の脱落を回避できるようになる等、信頼性を高めるうえで有利となる。
【００４７】
そもそも、上述したように前後の発砲材３０，３１の断面形状を特定した理由について詳細に説明する。
【００４８】
仮に、図５に示すように、前後両方の発砲材３０，３１を、前後両方の凹状空間２１，２２の全体を埋めるように、略長方形の断面形状にすることが考えられる。なお、図５では、後端側の発砲材３１の断面形状が厳密には長方形になっておらず、発砲材３１の内径側の外側角部が面取りされている。これは、ボス部１１の外周面を大小異径にしているからであって、単一外径としていれば前記面取りは不要である。
【００４９】
この場合、発砲材３０，３１の断面積や密度が大きくなるので、十分な遮音性を発揮すると考えられるものの、ボス部１１の前端縁を軸方向内方へ後退させているとともに、ボス部１１の外周面を大小異径にしている関係より、前後両方の発砲材３０，３１においてボス部１１の外周面に接着していない領域ができてしまう。
【００５０】
このように、柔軟性を有する発砲材３０，３１の内径面のうち、ボス部１１の外周面に対し非接着部分が存在すると、プーリ３の回転遠心力が増大するに従い、図６に示すように、前記非接着部分が、径方向外向きへ片寄るように変形する現象が起きることになる。
【００５１】
このような変形が生じると、プーリ３の回転中における騒音低減効果、つまり遮音性が低下するおそれがあり、さらには、長期使用によって発砲材３０，３１が前記変形を繰り返すことになって脱落することが懸念される等、好ましくないと言える。
【００５２】
以上のようなことから、前端側の発砲材３０の内周面全体をボス部１１の外周面における前端側領域１１ａに対し、また、後端側の発砲材３１の内周面全体をボス部１１の外周面における後端側領域１１ｂに対し、それぞれ接着させるのが好ましいことが解かったのである。これにより、前後の発砲材３０，３１の断面形状を上述したように特定しているのである。
【００５３】
なお、後端側の発砲材３１は、その内径側全体をボス部１１の外周面に接着することが可能であるが、前端側の発砲材３０の形状にバランスさせることを考慮している。但し、前後の発砲材３０，３１について若干の形状差や質量差があっても、プーリ３そのものの質量に比べて極わずかであるので、回転バランス上は支障ないと言える。
【００５４】
ところで、仮に、ボス部１１の前端縁を軸方向内方へ後退させずにリム部１２の前端縁と面一にしているプーリ３であれば、前後両方の発砲材３０，３１を外径側から内径側まで同じ幅、つまり発砲材３０の断面形状を前端側の凹状空間２１と同一の断面略長方形にしても、それらの内周面全体をボス部１１の外周面に接着させることが可能になるので、問題ない。したがって、この形態も本発明の実施形態として含まれる。
【００５５】
以上説明したように、本実施形態では、エンジン１で発生した振動がクランクシャフト２を通じてプーリ３に伝達されることは不可避であるものの、このプーリ３のボス部１１、リム部１２、連結壁部１３に発砲材３０，３１を隙間無く接着しているから、前記振動を発砲材３０，３１が効果的に吸収、減衰することが可能になり、ボス部１１、リム部１２、連結壁部１３の表面からの直接的な騒音放射を効果的に低減または防止できるようになる。それに伴い、プーリ３の背面とエンジン１のタイミングカバー（図示省略）との対向空間で共鳴が発生することを抑制または防止できるようになる。
【００５６】
このように、本実施形態のプーリ３は、従来例のように遮音カバーで覆うようなものに比べて、十分に高い遮音性を発揮し、エンジン１の静粛性の向上に貢献できる。
【００５７】
なお、本発明は、上述した実施形態のみに限定されるものではなく、その要旨を逸脱しない範囲において、種々の変更が可能である。以下、本発明の他の実施形態を説明する。他の実施形態を示す図において、上記実施形態を示す図と同一部分に同一の符号を付している。
【００５８】
（１）上記実施形態において、連結壁部１３の軸方向設置位置は、発砲材３０，３１を設置するための凹状空間２１，２２を確保できる範囲であれば、前後どちら寄りにオフセットして配置した構成としてもよく、このようにした構成も本発明に含むことができる。
【００５９】
このようなオフセット配置の一例を、図７に示す。図７に示すプーリ３は、その連結壁部１３の軸方向中央Ｏがリム部１２の軸方向中央Ｐから所定量Ｘだけ後端寄りへオフセット配置されている。この場合も、上記実施形態と同様の作用、効果が得られる。
【００６０】
（２）上記実施形態では、前後両方の発砲材３０，３１の内径側を径方向外向きに変形しにくくさせるために、両発砲材３０，３１の軸方向幅を外径側から内径側へ向けて漸減するようにしているが、図８に示すように、前後両方の発砲材３０，３１の断面形状を長方形として、それらの内径側にそれぞれ補強用の環状芯材４１，４２を埋め込んだ構成としてもよく、このようにした構成も本発明に含むことができる。
【００６１】
具体的に、図８に示すプーリ３において、一方の補強用の環状芯材４１，４２の埋め込み位置は、前後両方の発砲材３０，３１の内径側においてボス部１１の外周面に接着されていない領域とされる。
【００６２】
前端側の環状芯材４１は、径方向厚みが薄く軸方向幅が長い帯状とされており、また、後端側の環状芯材４２は、断面円形のワイヤ状とされている。この形状の相違は、図面から見て明らかなように、補強が必要な範囲、つまり発砲材３０，３１の内径面がボス部１１の外周面に接着されていない領域の軸方向長さの大小に起因している。
【００６３】
この実施形態によれば、プーリ３の回転に伴い補強芯材４１，４２がボス部１１の中心を回転軸心として回転するので、前後両方の発砲材３０，３１が図６に示すように変形することが抑制または防止されることになる。
【００６４】
したがって、発砲材３０，３１の断面積を上記実施形態に比べて拡大することができるから、遮音性を高めるうえで有利となる。
【００６５】
（３）上記各実施形態で示したプーリ３は、例えば図９に示すように、その連結壁部１３における円周等間隔の数ヶ所に軸方向に貫通する孔１３ａ・・・を設けた構成とすることができる。このような孔１３ａを設けている場合、プーリ３そのものの軽量化を図ることができるうえに、プーリ３による騒音の放射面積を可及的に小さくすることが可能になる。この孔１３ａの形状は、図９に示しているような扇形の他、図示していないが円形、楕円形、矩形等、任意である。
【００６６】
このように連結壁部１３に孔１３ａを設置すると、この孔１３ａによって左右の凹状空間２１，２２を連通する部分ができるために、例えば発砲材３０，３１を加硫成形接着法によって形成する場合には、左右の凹状空間２１，２２に設置される発砲材３０，３１が孔１３ａを通じて一体に連結することになる。そのため、プーリ３を長期使用しても発砲材３０，３１が脱落することを確実に阻止できるようになる。また、この場合も、上記実施形態と同様の作用、効果が得られる。
【図面の簡単な説明】
【００６７】
【図１】本発明に係るプーリの一実施形態を、その取り付け対象の一例であるエンジンに取り付けた状態を側面から見た一部断面図である。
【図２】図１のエンジンを前端側から見た図で、ベルトで巻き掛けられるいろいろなプーリを示している。
【図３】図１のプーリ単体を拡大して示す断面図である。
【図４】図３に示すプーリの斜視図である。
【図５】本発明に係るプーリの比較例で、図３に対応する図である。
【図６】図５に示しているプーリの不具合を説明するための図で、図３に対応する図である。
【図７】本発明に係るプーリの他実施形態で、図３に対応する図である。
【図８】本発明に係るプーリの他実施形態で、図３に対応する図である。である。
【図９】本発明に係るプーリの他実施形態で、図３のプーリを前端側から見た図である。
【符号の説明】
【００６８】
１      エンジン
２      クランクシャフト（回転軸）
３      プーリ
４      ベルト
７      ボルト
１１      プーリのボス部
１１ａ    ボス部の外周面における前端側領域
１１ｂ    ボス部の外周面における後端側領域
１２      プーリのリム部
１３      プーリの連結壁部
１５      リム部の内筒部
１５ａ    内筒部の内周面における前端側領域
１５ｂ    内筒部の内周面における後端側領域
１６      リム部の外筒部
１７      リム部の弾性体
２１      前端側の凹状空間
２２      後端側の凹状空間
３０      前端側の発砲材
３１      後端側の発砲材
【図１】
2008075676.tif 000003
【図２】
2008075676.tif 000004
【図３】
2008075676.tif 000005
【図４】
2008075676.tif 000006
【図５】
2008075676.tif 000007
【図６】
2008075676.tif 000008
【図７】
2008075676.tif 000009
【図８】
2008075676.tif 000010
【図９】
2008075676.tif 000011